(57)【特許請求の範囲】
【請求項１】
円盤を半径方向に複数に分割した形態のセクタ状を有し各側辺の係合部により円盤状に連結自在とされた複数の台座を具え、これら台座の上面に付け爪を載置固定するための付け爪載置用突部を設け、
前記係合部は、前記台座の一方の側辺に形成された係合凸部と、他方の側辺に形成され前記係合凸部に密嵌し得る係合凹部とで構成されており、
前記セクタ状の台座の側辺が密嵌し得るセクタ状の凹所が横列状に形成された台盤を具え、この台盤の凹所の側辺には前記台座の係合凸部および係合凹部が密嵌し得る係合凹部および係合凸部が形成されており、前記台盤の各凹所に前記各台座を嵌合して横一列の台座列が形成されるようになされている
ことを特徴とする付け爪保持台。
【請求項２】
台座構成部片および付け爪載置用突部構成部片が台盤に打ち抜いて形成され、これら台座構成部片および付け爪載置用突部構成部片を台盤から抜き取って互いの台座構成部片および付け爪載置用突部構成部片を結合して台座を形成するようになされている請求項１記載の付け爪保持台。
【発明の詳細な説明】
【０００１】
【発明の属する技術分野】
本発明は、付け爪に絵柄や模様を描くために用いられる付け爪保持台に関する。
【０００２】
【従来の技術】
近時、人工爪（付け爪）に塗料やマニキュアにより彩色を施して各種の絵柄や模様を好みに合わせて描写する、所謂「ネールアート」が普及されており、ＴＰＯに応じて種々の付け爪を手指の爪に貼布することによって楽しむことが行われるようになっている。
【０００３】
付け爪に彩色を施して絵柄や模様を描くとき、付け爪自体が小さくかつ薄いものであるため、これを手指で挟んで持って絵柄や模様を正確に描くことはきわめて難しく、高度な技術が必要となる。
【０００４】
そこで付け爪を人の指先に似た形態の爪台を用意し、この爪台に付け爪を１枚ずつ取り付けて絵柄や模様を描き、彩色を施すようになされている。
【０００５】
【発明が解決しようとする課題】
しかるに上記従来の爪台によるものでは、付け爪を１枚単位で取り付けて絵柄や模様を描くことになるので、５本の指全体の付け爪の色彩のバランスや、絵柄または模様の統一性などにおいて均一に仕上げることが難しかった。
【０００６】
また付け爪１枚単位での作業となるので、同一色の塗料により描く箇所が５本の指用の付け爪のすべてに存在するような場合、付け爪を１枚ずつ爪台に付け替えながら描くことになってきわめて面倒な作業が強いられることになり、作業能率が著しく悪いものであった。
【０００７】
本発明はこれに鑑み、５本の指分の付け爪に同時に絵柄や模様を描いて行くことができ、各指用の付け爪の色調の均一性や、絵柄、模様の統一性をとり易く、高能率にかつ正確に描くことができる付け爪保持台を提供することを課題としてなされたものである。
【０００８】
【課題を解決するための手段】
上記課題を解決する手段として本発明の基本構成は、円盤を半径方向に複数に分割した形態のセクタ状を有し各側辺の係合部により円盤状に連結自在とされた複数の台座を具え、これら台座の上面に付け爪を載置固定するための付け爪載置用突部を設けたことを特徴とする。
【０００９】
こうしたことにより、各台座を円盤状に連結すれば、各台座の付け爪載置用突部も放射状に位置し、これら付け爪載置用突部上に付け爪を両面テープ等を用いて取り付け、円盤状となっている台座全体を片手で持つことにより該台座が円盤を５等分したものであるときは各付け爪載置用突部に支持された指５本分の付け爪に同時に絵柄や模様を描いて行くことができ、また円盤状に結合されている台座は掌にのせて持ちやすく、安定した状態で絵柄等を描くことができる。
【００１０】
また付け爪に１枚単位で絵柄等を描きたいときは、１個の台座を分離してその台座を手で握って描くことができる。
【００１１】
請求項３記載の発明は、前記セクタ状の台座の側辺が密嵌し得るセクタ状の凹所を横列状に形成した台盤を具え、この台盤の凹所の側辺に前記台座の係合凸部および係合凹部が密嵌し得る係合凹部および係合凸部を形成し、前記台盤の各凹所に前記各台座を嵌合して横一列の台座列を形成するようにしたものである。
【００１２】
このように上記台盤を付加することにより、分離した台座を横一列に固定した状態で付け爪に絵柄等を描くことができ、テーブル等の上に置いて描くとき各付け爪を同じ向きとして描くことができる。また隣位の付け爪載置用突部との間隔が空くので、エアブラシをかけるとき隣位の付け爪に影響を与えることがなく作業を行うことができる。
【００１３】
請求項４記載の発明は、前記セクタ状の台座の側辺に、該台座の各側辺を互い違いの向きに接合したとき互いに嵌合し得る係合凸部と係合凹部とを形成し、各台座をジグザグ状に横一列に連結するようにしたことにある。
【００１４】
こうすることにより、台座列の長さが短くでき、複数の付け爪に対する絵付け作業をやり易くすることができる。
【００１５】
請求項５記載の発明は、台座構成部片および付け爪載置用突部構成部片を台盤に打ち抜いて形成し、これら台座構成部片および付け爪載置用突部構成部片を台盤から抜き取って互いの台座構成部片および付け爪載置用突部構成部片を結合して台座を形成するようにしたものである。
【００１６】
【発明の実施の形態】
以下、本発明を図面に示す実施の形態を参照して説明する。
図１、図２は本発明による付け爪保持台の基本的実施形態の一例を示すもので、円盤を半径方向に複数に分割した形態として形成された平面視セクタ状の台座１，１…を具え、これら各台座１，１…の各側辺１ａ，１ｂには互いに密嵌し合って連結される係合部２が形成されている。その素材としては、発砲スチロール、発泡ウレタン等を用いることが好ましいが、樹脂、木材等による成形品としてもよい。
【００１７】
図示の実施形態では、片手の５本の指用の５枚の付け爪３を同時に絵付けができるよう、５等分割された５個の台座１，１…で構成されている。
【００１８】
前記台座１の上面には、５個の台座１，１…を円盤状に集合させたときその周辺部１ｃから中心部１ｄに向けて突出する付け爪載置用突部４，４…が各台座１，１…ごとに設けられており、この付け爪載置用突部４の上面は、図１、図３に示すように付け爪３を両面テープ５等の固定手段により安定した状態に載置固定し得る付け爪載置面４ａとされている。
【００１９】
また前記台座１の周辺部１ｃの上面は一段低い低段部１ｅとされており、付け爪載置面４ａ上に固定される付け爪３への絵付け時に手元側の角部が邪魔にならないようになされている。
【００２０】
前記係合部２は、台座１の一方の側辺１ａに形成された蟻状の係合凸部２ａと、他方の側辺１ｂに形成された蟻溝状の係合凹部２ｂとで構成され、隣位の台座１，１の係合凸部２ａと係合凹部２ｂとを嵌合させることにより図１、図２にみられるように台座１，１…が連結されて円盤状形態を呈するようになされている。なおこの係合凸部２ａおよび係合凹部２ｂは必ずしも蟻と蟻溝形態によるものに限られることはなく、嵌合後水平面内では抜けない構造、例えば図４に示すような平面視円形乃至楕円形等の係合凸部２ａおよび係合凹部２ｂとしてもよい。
【００２１】
図５（Ａ），（Ｂ）は、図１に示した台座１の構成部材を発泡ウレタン、発泡スチロール等の弾性を有する樹脂材を打ち抜きにより形成し、これらを自分で組み立てるようにした実施形態を示すものである。
【００２２】
図５（Ａ）は、横長状を有する台盤６（厚さ１０〜１５ｍｍ程度）に台座１の低段部１ｅを構成する５個の台座構成部片１Ａ，１Ａ…が、図５（Ｂ）は前記台盤６と同程度の大きさを有する台盤７（厚さ７〜１０ｍｍ程度）に台座１の高段部１ｆを構成する５個の台座構成部片１Ｂ，１Ｂ…と５個の付け爪載置用突部構成部片４Ａ，４Ａ…と前記台座構成部片１Ｂ，１Ｂ…の中心部分を結合する１個の中心材８とがそれぞれ打ち抜きにより形成され、これら各部片を台盤６，７から押し抜いて自分で台座１を組み立てるようになされている。
【００２３】
前記低段用の台座構成部片１Ａは、前述のようにセクタ状を有し、その各側辺１ａ，１ｂに前述の係合凸部２ａおよび係合凹部２ｂが形成されており、またその外周部１ｃから中心部に向けて付け爪載置用突部構成部片４Ａが可及的密に嵌入し得る矩形状の孔９が形成され、この台座構成部片１Ａを台盤６から抜き外したとき図６（Ａ）に平面図を示す形態となる。
【００２４】
前記台座１の高段部１ｆを構成する台座構成部片１Ｂは同じくセクタ状を有し、その周辺部４ｂから中心方向に向けて所定長さのスリット１０が形成されており、その中心端には前記中心材８の周辺に形成された係合凸部１１が抜け出し不能に嵌合される係合凹部１２が形成されている。また前記スリット１０の内側面中央付近には前記付け爪載置用突部構成部片４Ａに穿設された係止孔１３に係合して抜け止めとする突起１０ａ，１０ａが形成されており、この台座構成部片１Ｂを台盤７から抜き外したとき図６（Ｂ）に示す形態となる。
【００２５】
上記付け爪載置用突部構成部片４Ａは、前記台座構成部片１Ａの孔９および台座構成部片１Ｂのスリット１０に嵌挿したときその上端が高段部１ｆを構成する台座構成部片１Ｂの上面から図７に示すように突出され、その上端面が付け爪載置面４ａとされる。
【００２６】
したがって前記図７に示した形態に組み立てたのち、各台座１，１…の側辺の係合凸部２ａと係合凹部２ｂを係合させることにより図１に示した円盤状形態として使用することができる。
【００２７】
図８は、１個の台座１を用いて付け爪３に１枚単位で絵付けを行う状態を示している。この場合には、台座１がセクタ状を有していて手元側が幅広となっているので片手で持つ際に持ちやすく、付け爪３をしっかりと持って絵柄や模様を描くことができる。
【００２８】
また台座構成部片１Ａ，１Ａ…を抜き外した台盤６の抜き跡に台座１，１…の係合凸部２ａと係合凹部２ｂとを嵌合させることにより図９に示すように台座１，１…を横一列に列設された形態とすることができる。
【００２９】
このように台座１，１…を台盤に取り付けて横一列とすれば、各台座１，１…の付け爪載置用突部４，４…の付け爪載置面４ａ，４ａ…上に付け爪３を載置固定することにより５本の指分の付け爪３に安定した状態で絵付けができるとともに５本の指用付け爪３の絵柄や模様を統一的に描き易くすることができる。またエアブラシを使用して吹き付ける場合は、隣位の台座１，１…の付け爪載置用突部４，４間に間隔が空くのでエアブラシによる吹き付け塗料が隣位の台座の付け爪３に干渉することがなく、１枚ずつの付け爪３に確実にエアブラシをかけることができる。
【００３０】
図１０は、台盤６を用いることなく台座１，１…を横一列に連結して台座列の全長が短くなるようにした使用形態を示すもので、この場合には低段部１ｅを構成する台座構成部片１Ａ，１Ａ…を１つ置きに裏返しとして台座１を組み立てることにより台座１，１…を互い違いの向きとして互いの係合凸部２ａと係合凹部２ｂとを嵌合させ、各台座１，１…をジグザグ状に横一列に連結して使用することができる。
【００３１】
これによれば台座１，１…列の長さが短くでき、絵付けの際に作業をやり易くすることができる。
【００３２】
【発明の効果】
以上説明したように本発明によれば、付け爪１枚単位での絵付けはもとより、複数の付け爪に対し同時に絵付けを行うことができ、特に各付け爪の絵付けの色調や絵柄、模様の大きさ、形状等を統一的に描けるので各指でこれらがばらつくことが防がれ、好ましい仕上がりのネイルアートを実現させることができる。
【００３３】
請求項１，２に記載の発明によれば、台座を１個単位での使用はもとより、円盤状に集合させて片手分の付け爪を円盤状となっている台座を回しながら絵付けが行えるので、手に把持しての絵付け作業を容易とすることができる。
【００３４】
請求項３に記載の発明によれば、台盤に台座を横一列状に嵌め付けて付け爪への絵付けができるので、テーブル等の上での作業をやり易くすることができるとともにエアブラシの使用時に便ならしめることができる。
【００３５】
請求項４に記載の発明によれば、台座を横一列状として使用する際に横方向長さを短くでき、隣位の付け爪との間隔が狭くなって絵付け作業を一層やり易くすることができる。
【００３６】
請求項５に記載の発明によれば、台盤から台座構成部片、付け爪載置用突部構成部片等を打ち抜いて組み立てるようにしたので、製造はもちろん、販売時の取り扱いを簡便なものとすることができる。
【図面の簡単な説明】
【図１】本発明による付け爪保持台の一実施形態を示す斜視図。
【図２】同、（Ａ）は平面図、（Ｂ）は下面図。
【図３】図１の付け爪載置用突部の付け爪載置面に付け爪を載置固定した状態を示す一部の側面図。
【図４】図１の実施形態における係合部の他の形状例を示す一部の平面図。
【図５】本発明による付け爪保持台を自己組み立て式とした場合の一実施形態を示すもので、（Ａ）は低段部用台座構成部片、（Ｂ）は高段部用台座構成部片、付け爪載置用突部構成部片、中心材を打ち抜き形成した状態を示す平面図。
【図６】（Ａ）は低段部用台座構成部片、（Ｂ）は高段部用台座構成部片、（Ｃ）は付け爪載置用突部構成部片、（Ｄ）は中心材の各平面図。
【図７】図６の低段部用台座構成部片、高段部用台座構成部片、付け爪載置用突部構成部片を組み付けて台座とした状態を示す側面図。
【図８】１個の台座の使用状態を示す斜視図。
【図９】台座を台盤に取り付けて横一列の配列とした状態を示す平面図。
【図１０】台座をジグザグ状に連結した状態を示す平面図。
【符号の説明】
１  台座
１Ａ，１Ｂ  台座構成部片
２  係合部
２ａ  係合凸部
２ｂ  係合凹部
３  付け爪
４  付け爪載置用突部
４Ａ  付け爪載置用突部構成部片
４ａ  付け爪載置面
５  固定手段としての両面テープ
６，７  台盤
８  中心材
１０  スリット
１１  係合凸部
１３  係止孔
【図１】
0003942911.tif 000002
【図２】
0003942911.tif 000003
【図３】
0003942911.tif 000004
【図４】
0003942911.tif 000005
【図５】
0003942911.tif 000006
【図６】
0003942911.tif 000007
【図７】
0003942911.tif 000008
【図８】
0003942911.tif 000009
【図９】
0003942911.tif 000010
【図１０】
0003942911.tif 000011